(57)【要約】      （修正有）【課題】自動車の運転手を電子的手段により支援する機器を提供する。【解決手段】自動車の運転手用の装着可能な器械１０は、自動車の補完的な通信装置４４と通信するように構成される通信手段３４と、表示手段２４と、処理手段３２を備えている。処理手段は、自動車の補完的な通信装置から、自動車の周囲の状況に関する、センサーによる検出部４８で取得したデータを通信手段を経由して受信し、受信した周囲の状況のデータ、又は該受信した周囲の状況のデータから導かれるデータを表示するように、表示手段を制御するように構成される。【選択図】図２
2016103264.tif 000002
【特許請求の範囲】
【請求項１】
自動車の運転手用の装着可能な器械であって、
前記自動車の補完的な通信装置と通信するように構成される通信手段と、
表示手段と、
前記自動車の補完的な通信装置から、前記自動車の周囲の状況に関する、センサーで取得したデータを前記通信手段を経由して受信し、かつ、前記受信した周囲の状況のデータ、又は該受信した周囲の状況のデータから導かれるデータを表示するように、前記表示手段を制御するように構成される処理手段とを有するものであることを特徴とする器械。
【請求項２】
前記センサーで取得した周囲の状況のデータは、前記自動車の距離センサー及びカメラの少なくともいずれか一方のデータであることを特徴とする請求項１に記載の器械。
【請求項３】
前記センサーで取得した周囲の状況のデータは、前記自動車の後方側の周囲の状況に関するデータであることを特徴とする請求項１又は請求項２に記載の器械。
【請求項４】
前記処理手段は、さらに、前記自動車の運転方向を示すデータを要求すること及び受信することの少なくとも一方を行うように構成されるものであることを特徴とする請求項１から請求項３のいずれか一項に記載の器械。
【請求項５】
前記自動車の運転方向を示すデータは、つながっているギアを示すか、又は、該つながっているギアから導かれるものであることを特徴とする請求項４に記載の器械。
【請求項６】
前記自動車の運転方向を示すデータは、前記自動車内の運転手の方位を示すか、又は、該方位から導かれるものであることを特徴とする請求項４又は請求項５に記載の器械。
【請求項７】
前記処理手段は、前記自動車の運転方向を示すデータがバックであることを示す時に、前記受信した周囲の状況のデータ又は該受信した周囲の状況のデータから導かれるデータを表示するように、前記表示手段を制御するように構成されるものであることを特徴とする請求項４から請求項６のいずれか一項に記載の器械。
【請求項８】
さらに、前記自動車内の運転手の方位を検出するように構成される手段を有するものであることを特徴とする請求項１から請求項７のいずれか一項に記載の器械。
【請求項９】
さらに、使用者による入力を検出するように構成される検出手段を有し、前記処理手段は、前記使用者による入力に基づいて、前記自動車の後方側、前方側、及び側方のうち一つ以上に位置する周囲の状況に関して選択的に、前記受信した周囲の状況のデータ又は該受信した周囲の状況のデータから導かれるデータを表示するように前記表示手段を制御するように構成されるものであることを特徴とする請求項１から請求項８のいずれか一項に記載の器械。
【請求項１０】
さらに、使用者による入力を検出するように構成される検出手段を有し、前記処理手段は、前記使用者による入力に基づいて、前記自動車の周囲の状況に関するデータを要求すること及び受信することの少なくとも一方を行うように前記通信手段を制御するように構成されるものであることを特徴とする請求項１から請求項９のいずれか一項に記載の器械。
【請求項１１】
さらに、前記表示手段、前記処理手段及び前記通信手段を収容するハウジングと、
前記自動車の運転手が手首又は腕に前記器械を装着するための手段とを有するものであることを特徴とする請求項１から請求項１０のいずれか一項に記載の器械。
【請求項１２】
請求項１から請求項１１のいずれか一項に記載の前記自動車の運転手が装着する器械と、
前記自動車の周囲の状況に関するデータを取得するセンサー手段と通信手段とを備えた自動車とを有するものであることを特徴とするシステム。
【請求項１３】
自動車の運転手用の装着可能な器械の使用方法であって、
前記器械は通信手段と表示手段とを備え、
前記通信手段を前記自動車の補完的な通信装置と通信するように構成し、
前記自動車の補完的な通信装置から、前記自動車の周囲の状況に関する、センサーで取得したデータを前記通信手段を経由して受信するステップと、
前記受信した周囲の状況のデータ、又は該受信した周囲の状況のデータから導かれるデータを表示するように、前記表示手段を制御するステップとを有することを特徴とする方法。
【請求項１４】
コンピュータで読み取り可能な記録媒体に格納され、請求項１３に記載の方法を処理手段によって実行可能とするコンピュータプログラム製品。
【発明の詳細な説明】
【技術分野】
【０００１】
本発明の開示は、概して自動車の運転手を電子的手段により支援する技術分野に関する。特には、自動車の運転手用の装着可能な装置とその装置の使用方法に関する。
【背景技術】
【０００２】
現在、自動車には、運転手を電子的手段により支援するための装置がますます装備されるようになっている。これらの装置としては、例えば、自動車の周囲の状況を検出し、そうすることにより周囲の状況のデータを生成するカメラや距離センサーのようなセンサー装置がある。
【０００３】
周囲の状況のデータは、典型的には視覚による表示（例えば、カメラ画像）の形式で、又は、（例えば、自動車の周囲の障害物との距離に依存して）聴覚信号の形式で、運転手へ提供される。このデータは、通常、計器ディスプレイ又はセンターコンソール部分において自動車に固定的に組み込まれる表示装置によって表示される。
【０００４】
運転の状況（例えば、前方運転又はバック、駐車の処置）に依存して、自動車の様々な位置に配置された複数のセンサー装置には、運転手へ提供される周囲の状況のデータを、例えば、自動車の運転方向に適応させるために、問い合わせが行われてもよい。しかしながら、（例えばバックのような）ある運転の状況において、運転手は自動車内で彼／彼女の視野方向を典型的には変えることがある。これにより、自動車に固定的に組み込まれ、周囲の状況のデータを表示する表示装置が運転手の視野方向になくなり、それにより運転手の視界外に存在することになるかもしれない。
【０００５】
そのような不利な状況を回避するために、駐車支援について、ＤＥ  １０  ２０１１  １２１  ２８５  Ａ１号公報に記載されている。この支援においては、複数の障害物が少なくとも自動車の前方側及び後方側の周囲から複数のセンサー装置によって検出される。この間に生成される周囲の状況のデータは、自動車の運転方向に依存して、フロントガラス部分に配置される表示装置によって、又は、リアウインドウ（後窓）部分に配置される表示装置（例えば、ヘッドアップディスプレイ）によって表示される。
【発明の概要】
【発明が解決しようとする課題】
【０００６】
自動車の運転手を電子的手段により支援する改善された解決策が提供される。
【課題を解決するための手段】
【０００７】
第１の態様によれば、自動車の運転手用の装着可能な器械が提供される。装着可能な器械は、自動車の補完的な通信装置と通信するように構成される通信手段と、表示手段と、処理手段とを有する。処理手段は、自動車の補完的な通信装置から、自動車の周囲の状況に関する、センサーで取得したデータを通信手段を経由して受信し、かつ、受信した周囲の状況のデータ、又は該受信した周囲の状況のデータから導かれるデータを表示する表示手段を制御するように構成される。
【０００８】
通信手段は、少なくとも自動車の補完的な通信装置と無線通信するように構成されてもよい。ここで、通信は、例えば、ブルートゥース、ＷＬＡＮ、超広帯域無線、又は他の無線通信技術で行われてもよい。
【０００９】
表示手段は、液晶ディスプレイでよい。それに代わり、（例えば、ＯＬＥＤのような）他の表示システムが提供されてもよい。
【００１０】
センサーで取得した周囲の状況のデータは、外部センサーのデータでもよい。特に、それは自動車の距離センサー及び／又はカメラのデータでもよい。
【００１１】
距離センサーは、自動車と障害物の間の距離を測定するように構成されてもよい。例えば、超音波、レーダー、又は、赤外（ＩＲ）波長域（約７００ｎｍから１１００ｎｍ）の光に基づく距離センサーが提供されてもよい。距離センサーによって取得した距離のデータは、表示手段によって、数値（例えば絶対値）の形式で、又は、図表の成分の形式で（例えば大きさが可変の棒の形式で）表示されてよい。カメラは、可視波長域（約３００ｎｍから７００ｎｍ）の光、及び／又は、赤外光を検出するように構成されてもよい。距離のデータに加えて、又は、それに代えて、表示手段により、カメラによって検出されたカメラ画像を表示する準備が行われてもよい。さらに、周囲の状況のデータを処理する（例えば、まとめる）ように構成される器械の処理手段及び／又は自動車の処理装置の準備が行われてもよい。処理された周囲の状況のデータは、表示手段によって表示されてよい。
【００１２】
自動車の周囲の状況に関して、自動車の後方側、前方側、及び／又は、側方のうち一つ以上に位置する周囲の状況が提供されてもよい。この場合、周囲の状況には、特に、自動車の後方側、前方側、及び／又は、側方にある交通上のスペースを含んでよい。自動車の後方側の環境に関する周囲の状況のデータであるセンサーで取得した周囲の状況のデータの準備が行われてもよい。
【００１３】
処理手段は、さらに、自動車の運転方向を示すデータを要求すること及び受信することの少なくとも一方を行うように構成されてもよい。自動車の運転方向を示すデータは、つながっているギアか、又は、該つながっているギアから導かれるものを表してもよい。このため、処理手段は、例えば自動車内に配置された変速機センサーと通信するように構成されてもよい。変速機センサーは、運転手によってつなげられたギア、又は自動化された方法（自動変速機）でつなげられたギアを検出するように用意されてもよい。
【００１４】
それに代えて、又は、それに加えて、自動車の運転方向を示すデータは、自動車内の運転手の方位（向いている方向）を示すか、又は、該方位から導かれるものを表してもよい。この場合、器械は自動車内の運転手の方位を検出するように構成される手段を有していてもよい。自動車内の器械の向きを決定するように構成される方位の検出手段の準備が行われてもよい。このことは、自動車内に配置された少なくとも一つの補完的な方位の検出手段との相互作用（協同）により行われてもよい。少なくとも一つの方位の検出手段は、例えば、複数の電気的な接触面、（例えば誘導）近接センサーの複数の機能的な部分、又は慣性センサーを備えてもよい。慣性センサーは、少なくとも一つの並進運動センサー、及び／又は、少なくとも一つのジャイロスコープセンサーを備えていてもよい。
【００１５】
器械は、さらに、使用者による入力を検出するように構成される検出手段を有していてもよい。検出手段は、例えば、タッチスクリーン（接触感応画面）の形式で表示装置に組み込まれてよい。それに代わり、又は、それに加えて、検出手段は一つ以上の機械的な作動部品を備えていてもよい。これらの部品は、押しボタン、スイッチ、スライドコントロール、又は機械的に作動する他の作動部品でよい。さらに、検出手段は、利用者による音声入力を検出するマイク、及び／又は、器械の動きを検出する慣性センサーを備えていてもよい。
【００１６】
自動車の運転方向を示すデータがバックであることを示す時に、受信した周囲の状況のデータ又は該受信した周囲の状況のデータから導かれるデータを表示するように、表示手段を制御するように構成される処理手段の準備が行われてもよい。さらに、（例えば、自動車の運転手によって実行される）ディスプレイの能動的な制御に関して、使用者による入力に基づいて、自動車の後方側、及び／又は、前方側、及び／又は側方に位置する周囲の状況に関して選択的に、受信した周囲の状況のデータ又は該受信した周囲の状況のデータから導かれるデータを表示するように表示手段を制御するように構成される処理手段の準備が行われてもよい。このようにして、表示手段は、例えば、バックでの駐車の処置において、自動車の後方側、及び少なくともある実施態様においては、側方に位置する周囲の状況を表示するように制御されてよい。このような操作が利用者による入力（利用者入力）に応じて、又は（例えば、検出された、又は所望の運転方向に依存して）自動的に行われてもよい。
【００１７】
処理手段は、さらに、自動車の周囲の状況に関するデータを要求すること及び受信することの少なくとも一方を行うように通信手段を制御するように構成されてもよい。それに代わり、処理手段は、器械が自動車の補完的な通信装置の範囲内に入るや否や、通信手段を経由して、自動車の周囲の状況に関するデータを要求すること及び受信することの少なくとも一方を行うように構成されてもよい。
【００１８】
器械は運転手の手首又は腕に装着可能に構成されてもよい。例えば、器械は、ハウジングと自動車の運転手が手首又は腕に器械を装着するための手段とを備えてもよい。表示手段、処理手段、及び通信手段は、ハウジング内に収容されてもよい。器械を装着するための手段は、例えば、（リストストラップのような）バンド、又は衣類でもよい。
【００１９】
器械はスマートウオッチでもよい。スマートウオッチは、従来の腕時計の形態で自動車の内外で使用可能である。
【００２０】
第２の実施態様によれば、システムが提供される。システムは、ここに開示される自動車の運転手が装着する器械と、自動車の周囲の状況に関するデータを取得するセンサー手段と通信装置とを備えた自動車とを有する。第３の態様によれば、自動車の運転手用の装着可能な器械の使用方法が提供され、器械は通信手段と表示手段とを備える。通信手段を自動車の補完的な通信装置と通信するように構成する。方法は、自動車の補完的な通信装置から、自動車の周囲の状況に関する、センサーで取得したデータを通信手段を経由して受信するステップと、受信した周囲の状況のデータ、又は該受信した周囲の状況のデータから導かれるデータを表示するように、表示手段を制御するステップとを有する。
【００２１】
第４の態様によれば、コンピュータで読み取り可能な記録媒体に格納されるコンピュータプログラム製品が提供される。コンピュータプログラム製品は、ここに記載された方法を処理手段により実行するように機能する。
【図面の簡単な説明】
【００２２】
ここに記載された解決策のさらなる利点、詳細、及び特徴が以下の代表的な実施態様の記載及び図面から明らかにされる。
【００２３】
【図１Ａ】自動車の運転手用の装着可能な器械の代表的な実施態様を示す概略図である。
【図１Ｂ】自動車の運転手用の装着可能な器械の代表的な実施態様を示す他の概略図である。
【図２】自動車の周囲の状況に関するデータを提供する、図１Ａ及び図１Ｂによる器械の代表的な実施態様を示す概略図である。
【図３Ａ】自動車の周囲の状況に関するデータを提供する方法の代表的な実施態様を示すフロー図である。
【図３Ｂ】自動車の周囲の状況に関するデータを提供する方法の他の代表的な実施態様を示すフロー図である。
【発明を実施するための形態】
【００２４】
図１Ａ及び図１Ｂは、自動車１４の運転手１２の手首又は前腕に着けられる、全体として１０で指定される、器械の代表的な実施態様の概略図である。示された代表的な実施態様において、器械１０は、その器械１０の両側面から延びるバンド１６によって、運転手１２の手首部分に着脱可能とされる。これに代わり、運転手１２によって着用される衣類（例えば、シャツ又はジャケットの袖）により、手首部分又は前腕部分に器械１０を取る付ける準備がなされてもよい。器械１０は例えばスマートウオッチでよい。スマートウオッチは、例えば、従来の腕時計の形態で、及び、付加的に運転に関係するデータを表示するために運転手１２によって使用されてよい。
【００２５】
図１Ａは、自動車１４のダッシュボード１８の前面図を示している。運転手１２が自動車１４を操縦するために機能する自動車１４のハンドル２０が、ダッシュボード１８の前面に据え付けられている。示された代表的な実施態様において、器械１０は、前方視野の方向で見られるように、自動車１４の運転手１２の右手首部分に配置される。これに代わり、器械１０は、運転手１２の左手首部分に、又は、例えば、運転手１２の一方の前腕のあたりに配置されてもよい。
【００２６】
図１Ｂは、器械１０を前方から見た全体像を示している。器械１０は、前面側に表示手段２４を収容するハウジング２２を備えている。示された代表的な実施態様において、ハウジング２２の前面側は、丸みを持った角部（コーナー）を有する矩形の形状に構成される。これに代わり、ハウジング２２の前面側は、例えば（円形を含む）長円形又は多角形の形状で構成されてもよい。表示手段２４は、液晶パネル、ＯＬＥＤパネル、又は他の適切な表示システムでよい。
【００２７】
図１Ｂに示される代表的な実施態様において、機械的な作動部品２６及び電気的な接点２７が、ハウジング２２の側面２８に組み込まれている。機械的な作動部品２６は、（例えば、自動車１４の運転手１２によって実行される）利用者による入力を検出するように構成される。この部品は、例えば、押しボタン、スイッチ、スライドコントロール、又は機械的に作動する他の部品でよい。電気的な接点２７は、器械１０のバッテリー（不図示）を充電するように構成される。示された代表的な実施態様において、電気的な接点２７は、電気的なプラグイン接続部の一部として設けられる。それに代わり、又は、それに加えて、電気的な接点２７は、ワイヤレス（例えば、誘導）エネルギー伝達又は太陽光によって充電する太陽電池の形態で構成されてもよい。バッテリーの充電は、それに代わり、又は、それに加えて、器械を動かすことによって（例えば、誘導によって）行われてもよい。
【００２８】
他の実施態様において、器械的な作動部品２６及び／又は電気的な接点２７は、器械１０のハウジング２２の他の部分に配置されてもよく、又は、完全に削除されてもよい。さらに、例えば、電気的な接触面として構成されるインターフェース、データキャリアを挿入するインターフェース、スピーカ、又はマイクのような別の複数の部品（不図示）が、ハウジング２２に組み込まれてもよい。
【００２９】
図１Ｂに示される代表的な実施態様において、（図１Ａに示すように）運転手１２の手首部分又は前腕部分に器械１０を着脱可能とするバンド１６は、ハウジングの両側面２８、２９に配置され、ハウジング２２の前側の２つの長いへりから背後に延びる。他の実施態様において、バンド１６は、例えば、前記の長い両側面２８、２９とは異なる、ハウジング２２の短い側面に配置されてもよい。
【００３０】
図２は、自動車１４内に配置される器械１０の代表的な実施態様をブロック図で示している。これは、図１Ａ及び図１Ｂに示される代表的な実施態様を参照して記載される器械１０でもよい。
【００３１】
図２による器械１０は、検出手段３０、処理手段３２、表示手段２４（図１Ｂによる代表的な実施態様を参照）、通信手段３４、及び方位の検出手段３６を備えている。検出手段３０は、利用者による入力を検出するように構成される。利用者による入力は、例えば、（図１Ｂに示される代表的な実施態様を参照して記載されるように）機械的な作動部品の操作によって、タッチスクリーンの形式の接触感応画面に接触することによって、器械１０に組み込まれたマイクを通した音声制御によって、及び／又は、器械１０に組み込まれた慣性センサーによる動作検出によって行われてもよい。検出手段３０は、検出された利用者による入力を評価するように構成される、処理手段３２に接続される。
【００３２】
処理手段３２は、少なくとも一つのプロセッサ３８（例えば、ＣＰＵ）と記録媒体（記憶装置）４０を備えている。記憶装置４０は、少なくとも一つのコンピュータプログラム製品（プログラム）４２を保存するように構成される。プログラム４２は、プロセッサ３８によって実行される複数の作動を制御する。記憶装置４０は、例えば、ハードディスク記録装置、着脱可能な記録装置、又は半導体記録装置でもよい。処理手段３２は、表示手段２４、通信手段３４、及び／又は、方位の検出手段３６を（例えば、検出された利用者による入力に基づいて）制御するように構成される。
【００３３】
器械１０の通信手段３４は、自動車１４内に配置された補完的な通信装置４４と、一方向の、又は、双方向のデータ伝達によって通信する。図２によるデータ伝達は、双方向かつ無線で、例えば、ブルートゥース、ＷＬＡＮ、又は超広帯域無線を通して行われる。自動車１４の補完的な通信装置４４は、自動車１４の制御システム４６に接続される。
【００３４】
自動車１４の制御システム４６との通信を通して、器械１０の処理手段３２は、自動車１４のセンサーによる検出部４８を制御し、及び／又は、センサーによる検出部４８からデータを受信するように構成される。示された代表的な実施態様において、センサーによる検出部４８は変速機センサー５０、カメラ５２、及び距離センサー５４である。それに代わり、又は、それに加えて、自動車１４は、さらなるセンサーによる検出部４８（例えば、さらに複数のカメラ５２、及び／又は、さらに複数の距離センサー５４）を備えていてよい。さらに、自動車１４の制御システム４６との通信を通して、さらに他の自動車システムの機能（例えば、スピードメーター）を音を出して読み取るように構成される処理手段３２の準備が行われてもよい。
【００３５】
変速機センサー５０は、運転手によってつなげられた、又は、自動化された方法（自動変速機）でつなげられた自動車１４のギアを検出するように構成される。カメラ５２と距離センサー５４は、自動車１４の周囲の状況のデータを取得するように構成される。自動車１４の周囲の状況のデータのセンサー５２、５４の配置に依存して、ここでのデータは自動車１４の後方側、前方側、及び／又は、側方に位置する周囲の状況に関するデータである。特に、ここでの周囲の状況とは、自動車１４の周囲の交通上のスペースのことでよい。
【００３６】
カメラ５２は、電磁波を検出するように構成される。ここで、可視波長域（約３００ｎｍから７００ｎｍ）の光、及び／又は、赤外（ＩＲ）波長域（約７００ｎｍから１１００ｎｍ）の光を検出するように構成されるカメラ５２の準備が行われてもよい。カメラ５２は、例えば、ＣＣＤ（ｃｈａｒｇｅ  ｃｏｕｐｌｅｄ  ｄｅｖｉｃｅ）センサー、及び／又は、ＣＭＯＳ（ｃｏｍｐｌｅｍｅｎｔａｒｙ  ｍｅｔａｌ  ｏｘｉｄｅ  ｓｉｌｉｃｏｎ）センサーを備えていてもよい。さらに、センサーは特定の波長域の（例えば、可視波長域の）光を分離するためにフィルターを備えていてよい。少なくともこの場合、カメラ５２は赤外光を可視化する像変換器（イメージコンバーター）を備えていてもよい。距離センサー５４は、障害物までの距離を検出するように構成される。距離センサー５４として、例えば、超音波又は赤外光用の送受信装置が用意されてもよい。
【００３７】
器械１０の方位の検出手段３６は、自動車１４内で運転手１２が向いている方向（方位）を検出するように構成される。ここで、運転手１２の身につけている器械１０の位置の測定から推論される運転手１２の方位が提供されてもよい。このため、図２に示される代表的な実施態様において、方位の検出手段３６は、自動車１４内に配置される少なくとも一つの補完的な方位の検出手段５６と協同するように構成される。補完的な方位の検出手段５６は、例えば、ハンドル２０の部分に（図１Ａの代表的な実施態様を参照）、及び／又は、運転手の座席（又は乗客（同乗者）の座席）の部分に配置されてもよい。方位の検出手段３６、５６は、電気的な接触面又は（誘導又は容量性の）近接センサーの機能的な部分であってもよい。
【００３８】
それに代わり、又は、それに加えて、方位の検出手段３６は、補完的な方位の検出手段５６と協同することなしに、自動車１４内の運転手１２の方位を検出するように構成されてもよい。ここで、器械１０の方位の検出手段３６は、例えば、慣性センサーでもよい。慣性センサーは、少なくとも一つの並進運動センサー、及び／又は、少なくとも一つのジャイロスコープセンサーを備えていてよい。方位の変化として検出される（例えば、ハンドル２０のあたりから運転手の座席又は乗客の座席あたりへの）器械１０の所定の動きを提供してもよい。
【００３９】
図３Ａ及び図３Ｂは、自動車１４の周囲の状況のデータを提供する方法の代表的な実施態様のフロー図を示している。その方法は、図１Ａから図２に従って、自動車１４内の器械１０によって実行されるように提供されてもよい。
【００４０】
図３Ａの代表的な実施態様によれば、周囲の状況のデータは第１の方法のステップ６０において受信される。図２の代表的な実施態様を参照すると、周囲の状況のデータとは、自動車１４の周囲の状況に関してカメラ５２及び／又は距離センサー５４によりセンサーで取得したデータである。データは、自動車１４の制御システム４６と通信することにより、処理手段３２によって要求及び／又は受信される。例えば、自動車１４の後方側の周囲の状況に関するデータであるセンサーで取得するデータを提供してもよい。処理手段３２は、例えば器械１０が自動車１４の補完的な通信装置４４の範囲内に位置する時に、通信手段３４を通して自動的な方法で周囲の状況のデータを受信するように構成されてもよい。
【００４１】
続く方法のステップ６２において、表示手段２４（図１Ｂ及び図２を参照）は、受信した周囲の状況のデータ、又は、その受信した周囲の状況のデータから導かれるデータを表示するように制御される。図２の代表的な実施態様を適用することで、その作動が処理手段３２により行われる用意がなされる。ここで、例えば、カメラ５２によって検出されたカメラ画像を表示するように表示手段２４を制御する処理手段３２の準備が行われてもよい。それに加え、又は、それに代えて、距離センサー５４によって取得された距離のデータ、又は、その距離のデータから導かれるデータは、複数の数値（例えば、絶対値又は相対値）の形式で、又は、図表の成分の形式で（例えば大きさが可変の棒の形式で）、表示手段２４によって表示されてもよい。周囲の状況のデータから導かれるデータは、器械１０の処理手段３２によって、又は、自動車１４の処理装置によって処理される（例えば、まとめられる）周囲の状況のデータでもよい。ここで、器械１０の処理手段３２又は自動車１４の処理装置は、例えば、複数の距離センサー５４によって取得される距離のデータから最小の距離を決定するように、及び／又は、複数のカメラ５２によって検出されるカメラ画像から一つの合成されたカメラ画像を算出するように構成されてもよい。
【００４２】
図３Ａに示す方法に加えて、図３Ｂによる方法では、運転方向のデータを受信する方法のステップ（ステップ６４）と利用者入力を検出する方法のステップ（ステップ６６）とを有している。運転方向のデータを受信するにあたり、さらに２つのステップ６８と７０において、自動車１４内でつながっているギア及び自動車１４の運転手１２の方位が検出される。
【００４３】
図２の代表的な実施態様を適用することで、処理手段３２は運転方向のデータを受信及び／又は要求するように構成される。このために、処理手段３２は、例えば自動車１４の制御システム４６との通信を通して、つながっているギアを検出（ステップ６８）するように構成される変速機センサー５０と通信してもよい。この場合、運転方向のデータは、自動車１４においてつながっているギアを示すか、又は、つながっているギアから導かれるものでよい。さらに、例えば、変速機センサー５０において、第１の前進ギア又はバックギアが検出されるときに、駐車の処置が検知されてもよい。それに加えて、又は、それに代えて、処理手段３２は運転手１２の方位を検出（ステップ７０）するように構成される、方位の検出手段３６からの運転方向のデータを受信してもよい。この場合、運転方向のデータは、自動車１４内の運転手１２の方位を示すか、又は、その方位から導かれるものでもよい。自動車１４の後方側の周囲の方向へ運転手１２が向くことにより、例えばバックであることが推定されてもよい。
【００４４】
図３Ｂに示される代表的な実施態様において、表示手段２４を作動させる方法のステップ６２が、運転方向のデータを受信するステップ（ステップ６４）に続く。ここで、例えば、運転方向のデータが自動車１４がバックすることを示すとき、図２に従って表示手段２４を制御する処理手段３２の準備が行われてもよい。さらに、バックの場合には、受信した周囲の状況のデータ（ステップ６０）、及び／又は、表示手段２４上にステップ６２によって表示される周囲の状況のデータを、自動車１４の後方側の環境に関しての周囲の状況のデータとする用意がなされてもよい。
【００４５】
それに代わり、又は、それに加えて、方法のステップ６６において、利用者入力が検出される。図１Ｂ及び図２の代表的な実施態様を参照して、検出は機械的な作動部品２６によって、及び／又は、検出手段３０によって行われてもよい。図３Ｂに示される代表的な実施態様において、周囲の状況のデータを受信するステップ（ステップ６０）と表示手段を作動させるステップ（ステップ６２）は検出された利用者入力に基づいて実施される。図２の代表的な実施態様を適用することで、処理手段３２は、利用者入力に基づいて、周囲の状況のデータを要求、及び／又は、受信するために、通信手段３４が補完的な通信装置４４と通信するように制御するように構成されてもよい。
【００４６】
さらに、検出された利用者入力（ステップ６６）に基づいて、自動車１４の後方側、及び／又は、前方側、及び／又は、側方に位置する周囲の状況に関して選択的に、受信した周囲の状況のデータ又は周囲の状況のデータから導かれるデータを表示するように、又は、表示を取り消すように表示手段２４を制御（ステップ６２）するように構成される処理手段３２の準備が行われてもよい。このように、例えば、利用者入力によって、後方側の周囲の状況の表示を行う、及び、表示を取り消す準備が行われてもよい。利用者入力によって、前方側の周囲の状況の表示と（例えば、バックによる駐車の処置のための）後方側の周囲の状況の表示との間の切り替えの準備も行われてよい。それに加えて、又は、それに代えて、利用者入力により、後方側の周囲の状況の表示と、（例えば、バックによる平行駐車の処置のための）後方側及び側方の周囲の状況の表示との間の切り替えの準備が行われてもよい。上述の場合の各々において、表示の実施／取り消し又は表示の切り替えはまた（例えば、検出された、又は、意図された運転方向に依存して）自動的に行われてもよい。
【００４７】
上述した複数の実施態様を参照して、器械１０は自動車１４の運転手１２を支援するように利用されてよい。運転手の手首又は前腕に器械１０を装着することにより、この装置は、自動車１４の前方運転と自動車１４がバックする際の両方で、運転手１２の視野方向に配置される。支援のために表示手段２４によって提供される周囲の状況のデータは、運転手１２が直観的に認識する視野内にある。従って、後者は特にバックする際に、例えば、自動車１４の運転方向から離れて、ダッシュボード１８部分に固定的に組み込まれた表示手段の方向を無理やり見るように強いられない。周囲の状況のデータ（例えば、カメラ画像）が視野方向に表示される結果、運転手１２の周囲の状況のデータへの理解がさらに改善される。
【００４８】
前述の代表的な実施態様により、自動車の運転手の電子的手段による支援に関して様々な特徴と解決策の使用が提供される。異なる代表的な実施態様において、これらの特徴は必要に応じ、組み合わされ、又は修正されてもよい。
【図１Ａ】
2016103264.tif 000003
【図１Ｂ】
2016103264.tif 000004
【図２】
2016103264.tif 000005
【図３Ａ】
2016103264.tif 000006
【図３Ｂ】
2016103264.tif 000007